(57)【特許請求の範囲】
【請求項１】
デジタル化多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記伝送路の途中に配置され、前記伝送路に伝送される信号のうち、所定のタイムスロットの信号を抽出して多重分離し前記端末装置に向けて送り出し、または前記端末装置からの信号を取り込んで多重化し、前記伝送路へ送り出すノード装置とからなるループ式データ伝送装置において、
前記ノード装置は、前記伝送路に伝送されるＳＤＨ方式の多重化フレーム信号にアクセスし、割り当てられたタイムスロットから信号を選択的に抽出して多重分離し、前記端末装置に向けて送り出し、または前記端末装置からの信号を取り込んで割り当てられたタイムスロットへ選択的に配置し、多重化して前記伝送路へ送り出す多重化／多重分離部を備え、前記多重化／多重分離部は、伝送路からのデジタル受信信号を再び伝送路へ送り出すまでの間一時記憶する受信中継メモリと、端末装置から送り込まれた多重化のためのデジタル多重化信号を一時記憶する多重メモリと、前記受信中継メモリから読み出される内容を前記多重メモリから読み出される内容に部分的に入替えるための多重化フレーム上のタイムスロットのアドレスの指定と、この入替えを制御する信号を発生する多重メモリアドレス変換部と、前記受信中継メモリの内容と前記多重メモリの内容とを前記多重メモリアドレス変換部からの制御に基づいて切り替えるセレクタ部とを有し、前記デジタル化受信中継信号と前記デジタル多重化信号の入替えを可能としたことを特徴とするループ式データ伝送装置。
【請求項２】
デジタル化光多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記ループ状の伝送路の途中に配置され、前記伝送路に伝送される多重化フレーム信号のうち所定のタイムスロットの信号を抽出して多重分離し、前記端末装置に向けて送り出し、または前記端末装置からの信号を取り込んで前記多重化フレーム信号の所定タイムスロットへ配置して多重化し前記伝送路へ送り出すノード装置とからなるループ式データ伝送装置において、
前記ノード装置は、前記第１の伝送路からの光信号を電気信号に変換して前記ノード装置の内部回路へ導くともに前記ノード装置の内部回路からの電気信号を光信号に変換して第２の伝送路に送り出す第１の終端部と、前記第２の伝送路からの光信号を電気信号に変換して前記ノード装置の内部回路へ導くとともに前記ノード装置の内部回路からの電気信号を光信号に変換して第１の伝送路に送り出す第２の終端部と、前記第１または第２の伝送路のうち予め設定された一方の伝送路からの信号を選択して取り込み、同方向に向う他方の伝送路、または同方向に向かう一方の伝送路へ信号の送出を行う系選択回路と、前記端末装置からの伝送信号を多重化フレーム信号の所定のタイムスロット位置に配置して多重化を行うと共に、前記系選択回路から送り込まれた多重化フレーム信号の所定のタイムスロット位置から伝送信号を抽出して多重分離を行う多重化／多重分離部と、共通の信号路で構成され、前記多重化／多重分離部と前記端末装置との間の信号の受け渡しをする多重／分離バスと、前記端末装置と前記多重／分離バスの間のインタフェースをとる回線インタフェース部と、ノード管理バスを経てノード内各装置の動作状態の管理を行うノード管理プロセッサ部とを備え、前記多重化／多重分離部は、伝送路からのデジタル受信信号を再び伝送路へ送り出すまでの間一時記憶する受信中継メモリと、端末装置から送り込まれた多重化のためのデジタル多重化信号を一時記憶する多重メモリと、前記受信中継メモリから読み出される内容を前記多重メモリから読み出される内容に部分的に入替えるための多重化フレーム上のタイムスロットのアドレスの指定と、この入替えを制御する信号を発生する多重メモリアドレス変換部と、前記受信中継メモリの内容と前記多重メモリの内容とを前記多重メモリアドレス変換部からの制御に基づいて切り替えるセレクタ部とを有し、前記デジタル化受信中継信号と前記デジタル多重化信号の入替えを可能としたことを特徴とするループ式データ伝送装置。
【請求項３】
デジタル化多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記伝送路の途中に配置され、前記伝送路に伝送される信号のうち、所定のタイムスロットの信号を抽出して多重分離し前記端末装置に向けて送り出し、または前記端末装置からの信号を取り込んで多重化し、前記伝送路へ送り出すノード装置とからなるループ式データ伝送装置において、
前記ノード装置は、前記伝送路に伝送されるＳＤＨ方式の多重化フレーム信号にアクセスし、割り当てられたタイムスロットから信号を選択的に抽出して多重分離し、前記端末装置に向けて送り出し、または前記端末装置からの信号を取り込んで割り当てられたタイムスロットへ選択的に配置し、多重化して前記伝送路へ送り出す多重化／多重分離部を備え、前記多重化／多重分離部は、伝送路からのデジタル受信信号を再び伝送路へ送り出すまでの間一時記憶する受信中継メモリと、端末装置から送り込まれる多重化のためのデジタル多重化信号を一時記憶する多重メモリと、前記多重メモリから読み出される内容を前記受信中継メモリから読み出される内容に入替える部分の多重化フレーム上のタイムスロットのアドレスの指定と、この入替えを制御する信号を発生する多重メモリアドレス変換部と、前記受信中継メモリの内容と前記多重メモリの内容を前記多重メモリアドレス変換部からの制御に基づいて切り替えるセレクタ部と、前記デジタル受信信号を多重分離するために一時記憶する分離メモリと、前記端末装置から送り込まれる多重化のためのデジタル多重化信号を一時記憶する局内交換メモリと、前記局内交換メモリから読み出される内容を前記分離メモリから読み出される内容に入替える部分の多重化フレーム上のタイムスロットのアドレスの指定と、この入替えを制御する信号を発生する分離メモリアドレス変換部と、前記分離メモリの内容と前記局内交換メモリの内容を前記分離メモリアドレス変換部からの制御に基づいて切り替えるセレクタとを有し、デジタル受信信号とデジタル多重化信号の入替え、および前記分離メモリの内容と前記局内交換メモリの内容の入替えによる局内交換を可能としたことを特徴とするループ式データ伝送装置。
【請求項４】
デジタル化光多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記ループ状の伝送路の途中に配置され、前記伝送路に伝送される多重化フレーム信号のうち所定のタイムスロットの信号を抽出して多重分離し、前記端末装置に向けて送り出し、または前記端末装置からの信号を取り込んで前記多重化フレーム信号の所定タイムスロットへ配置して多重化し前記伝送路へ送り出すノード装置とからなるループ式データ伝送装置において、
前記ノード装置は、前記第１の伝送路からの光信号を電気信号に変換して前記ノード装置の内部回路へ導くとともに前記ノード装置の内部回路からの電気信号を光信号に変換して第２の伝送路に送り出す第１の終端部と、前記第２の伝送路からの光信号を電気信号に変換して前記ノード装置の内部回路へ導くとともに前記ノード装置の内部回路からの電気信号を光信号に変換して第１の伝送路に送り出す第２の終端部と、前記第１または第２の伝送路のうち予め設定された一方の伝送路からの信号を選択して取り込み、同方向に向う他方の伝送路、または同方向に向かう一方の伝送路へ信号の送出を行う系選択回路と、前記端末装置からの伝送信号を多重化フレーム信号の所定のタイムスロット位置に配置して多重化を行うと共に、前記系選択回路から送り込まれた多重化フレーム信号の所定のタイムスロット位置から伝送信号を抽出して多重分離を行う多重化／多重分離部と、共通の信号路で構成され、前記多重化／多重分離部と前記端末装置との間の信号の受け渡しをする多重／分離バスと、前記端末装置と前記多重／分離バスの間のインタフェースをとる回線インタフェース部と、ノード管理バスを経てノード内各装置の動作状態の管理を行うノード管理プロセッサ部とを備え、前記多重化／多重分離部は、伝送路からのデジタル受信信号を再び伝送路へ送り出すまでの間一時記憶する受信中継メモリと、端末装置から送り込まれる多重化のためのデジタル多重化信号を一時記憶する多重メモリと、前記多重メモリから読み出される内容を前記受信中継メモリから読み出される内容に入替える部分の多重化フレーム上のタイムスロットのアドレスの指定と、この入替えを制御する信号を発生する多重メモリアドレス変換部と、前記受信中継メモリの内容と前記多重メモリの内容を前記多重メモリアドレス変換部からの制御に基づいて切り替えるセレクタ部と、前記デジタル受信信号を多重分離するために一時記憶する分離メモリと、前記端末装置から送り込まれる多重化のためのデジタル多重化信号を一時記憶する局内交換メモリと、前記局内交換メモリから読み出される内容を前記分離メモリから読み出される内容に入替える部分の多重化フレーム上のタイムスロットのアドレスの指定と、この入替えを制御する信号を発生する分離メモリアドレス変換部と、前記分離メモリの内容と前記局内交換メモリの内容を前記分離メモリアドレス変換部からの制御に基づいて切り替えるセレクタとを有し、デジタル受信信号とデジタル多重化信号の入替え、および前記分離メモリの内容と前記局内交換メモリの内容の入替えによる局内交換を可能としたことを特徴とするループ式データ伝送装置。
【請求項５】
デジタル化多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記伝送路の途中に配置され、前記伝送路に伝送される信号のうち、所定のタイムスロットの信号を抽出して多重分離し前記端末装置に向けて送り出し、または前記端末装置からの信号を取り込んで多重化し、前記伝送路へ送り出すノード装置とからなるループ式データ伝送装置において、
前記ノード装置は、前記伝送路に伝送されるＳＤＨ方式の多重化フレーム信号にアクセスし、割り当てられたタイムスロットから信号を選択的に抽出して多重分離し、前記端末装置に向けて送り出し、または前記端末装置からの信号を取り込んで割り当てられたタイムスロットへ選択的に配置し、多重化して前記伝送路へ送り出す多重化／多重分離部を備え、前記多重化／多重分離部は、２ポートメモリで構成された多重メモリアドレス変換部および分離アドレス変換部と、ノード管理バスを経てこれらメモリの設定を行うノード管理プロセッサ部とを有したことを特徴とするループ式データ伝送装置。
【請求項６】
デジタル化光多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記ループ状の伝送路の途中に配置され、前記伝送路に伝送される多重化フレーム信号のうち所定のタイムスロットの信号を抽出して多重分離し、前記端末装置に向けて送り出し、または前記端末装置からの信号を取り込んで前記多重化フレーム信号の所定タイムスロットへ配置して多重化し前記伝送路へ送り出すノード装置とからなるループ式データ伝送装置において、
前記ノード装置は、前記第１の伝送路からの光信号を電気信号に変換して前記ノード装置の内部回路へ導くとともに前記ノード装置の内部回路からの電気信号を光信号に変換して第２の伝送路に送り出す第１の終端部と、前記第２の伝送路からの光信号を電気信号に変換して前記ノード装置の内部回路へ導くとともに前記ノード装置の内部回路からの電気信号を光信号に変換して第１の伝送路に送り出す第２の終端部と、前記第１または第２の伝送路のうち予め設定された一方の伝送路からの信号を選択して取り込み、同方向に向う他方の伝送路、または同方向に向かう一方の伝送路へ信号の送出を行う系選択回路と、前記端末装置からの伝送信号を多重化フレーム信号の所定のタイムスロット位置に配置して多重化を行うと共に、前記系選択回路から送り込まれた多重化フレーム信号の所定のタイムスロット位置から伝送信号を抽出して多重分離を行う多重化／多重分離部と、共通の信号路で構成され、前記多重化／多重分離部と前記端末装置との間の信号の受け渡しをする多重／分離バスと、前記端末装置と前記多重／分離バスの間のインタフェースをとる回線インタフェース部と、ノード管理バスを経てノード内各装置の動作状態の管理を行うノード管理プロセッサ部とを備え、前記多重化／多重分離部は、２ポートメモリで構成された多重メモリアドレス変換部および分離アドレス変換部と、ノード管理バスを経てこれらメモリの設定を行うノード管理プロセッサ部とを有したことを特徴とするループ式データ伝送装置。
【請求項７】
デジタル化多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記伝送路の途中に配置され、前記伝送路に伝送される信号のうち、所定のタイムスロットの信号を抽出して多重分離し前記端末装置に向けて送り出し、または前記端末装置からの信号を取り込んで多重化し、前記伝送路へ送り出すノード装置とからなるループ式データ伝送装置において、
前記ノード装置は、前記伝送路に伝送されるＳＤＨ方式の多重化フレーム信号にアクセスし、割り当てられたタイムスロットから信号を選択的に抽出して多重分離し、前記端末装置に向けて送り出し、または前記端末装置からの信号を取り込んで割り当てられたタイムスロットへ選択的に配置し、多重化して前記伝送路へ送り出す多重化／多重分離部を備え、前記多重化／多重分離部は、各回線インタフェース部に付与された固有のポート番号と対応ずけたポート番号を多重／分離バスへの入力信号に付与する手段を有し、多重／分離バスへの入力信号に付された固有のポート番号により、前記多重／分離バス上の信号を回線インタフェース部が抽出するようにしたことを特徴とするループ式データ伝送装置。
【請求項８】
デジタル化光多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記ループ状の伝送路の途中に配置され、前記伝送路に伝送される多重化フレーム信号のうち所定のタイムスロットの信号を抽出して多重分離し、前記端末装置に向けて送り出し、または前記端末装置からの信号を取り込んで前記多重化フレーム信号の所定タイムスロットへ配置して多重化し前記伝送路へ送り出すノード装置とからなるループ式データ伝送装置において、
前記ノード装置は、前記第１の伝送路からの光信号を電気信号に変換して前記ノード装置の内部回路へ導くとともに前記ノード装置の内部回路からの電気信号を光信号に変換して第２の伝送路に送り出す第１の終端部と、前記第２の伝送路からの光信号を電気信号に変換して前記ノード装置の内部回路へ導くとともに前記ノード装置の内部回路からの電気信号を光信号に変換して第１の伝送路に送り出す第２の終端部と、前記第１または第２の伝送路のうち予め設定された一方の伝送路からの信号を選択して取り込み、同方向に向う他方の伝送路、または同方向に向かう一方の伝送路へ信号の送出を行う系選択回路と、前記端末装置からの伝送信号を多重化フレーム信号の所定のタイムスロット位置に配置して多重化を行うと共に、前記系選択回路から送り込まれた多重化フレーム信号の所定のタイムスロット位置から伝送信号を抽出して多重分離を行う多重化／多重分離部と、共通の信号路で構成され、前記多重化／多重分離部と前記端末装置との間の信号の受け渡しをする多重／分離バスと、前記端末装置と前記多重／分離バスの間のインタフェースをとる回線インタフェース部と、ノード管理バスを経てノード内各装置の動作状態の管理を行うノード管理プロセッサ部とを備え、前記多重化／多重分離部は、各回線インタフェース部に付与された固有のポート番号と対応ずけたポート番号を多重／分離バスへの入力信号に付与する手段を有し、多重／分離バスへの入力信号に付された固有のポート番号により、前記多重／分離バス上の信号を回線インタフェース部が抽出するようにしたことを特徴とするループ式データ伝送装置。
【請求項９】
デジタル化多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記伝送路の途中に配置され、前記伝送路に伝送される信号のうち、所定のタイムスロットの信号を抽出して多重分離し前記端末装置に向けて送り出し、または前記端末装置からの信号を取り込んで多重化し、前記伝送路へ送り出すノード装置とからなるループ式データ伝送装置において、
前記ノード装置は、前記伝送路に伝送されるＳＤＨ方式の多重化フレーム信号にアクセスし、割り当てられたタイムスロットから信号を選択的に抽出して多重分離し、前記端末装置に向けて送り出し、または前記端末装置からの信号を取り込んで割り当てられたタイムスロットへ選択的に配置し、多重化して前記伝送路へ送り出す多重化／多重分離部を備え、前記多重化／多重分離部は、分離メモリまたは局内交換メモリから多重／分離バスへの読み出し信号に、予め設定された所属の回線インタフェースの分離バス上のポート番号を付すリード制御回路を有し、このポート番号に基づいて前記回線インタフェース部が前記多重／分離バスからの読み出し信号を選別して抽出するようにしたことを特徴とするループ式データ伝送装置。
【請求項１０】
デジタル化光多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記ループ状の伝送路の途中に配置され、前記伝送路に伝送される多重化フレーム信号のうち所定のタイムスロットの信号を抽出して多重分離し、前記端末装置に向けて送り出し、または前記端末装置からの信号を取り込んで前記多重化フレーム信号の所定タイムスロットへ配置して多重化し前記伝送路へ送り出すノード装置とからなるループ式データ伝送装置において、
前記ノード装置は、前記第１の伝送路からの光信号を電気信号に変換して前記ノード装置の内部回路へ導くとともに前記ノード装置の内部回路からの電気信号を光信号に変換して第２の伝送路に送り出す第１の終端部と、前記第２の伝送路からの光信号を電気信号に変換して前記ノード装置の内部回路へ導くとともに前記ノード装置の内部回路からの電気信号を光信号に変換して第１の伝送路に送り出す第２の終端部と、前記第１または第２の伝送路のうち予め設定された一方の伝送路からの信号を選択して取り込み、同方向に向う他方の伝送路、または同方向に向かう一方の伝送路へ信号の送出を行う系選択回路と、前記端末装置からの伝送信号を多重化フレーム信号の所定のタイムスロット位置に配置して多重化を行うと共に、前記系選択回路から送り込まれた多重化フレーム信号の所定のタイムスロット位置から伝送信号を抽出して多重分離を行う多重化／多重分離部と、共通の信号路で構成され、前記多重化／多重分離部と前記端末装置との間の信号の受け渡しをする多重／分離バスと、前記端末装置と前記多重／分離バスの間のインタフェースをとる回線インタフェース部と、ノード管理バスを経てノード内各装置の動作状態の管理を行うノード管理プロセッサ部とを備え、前記多重化／多重分離部は、分離メモリまたは局内交換メモリから多重／分離バスへの読み出し信号に、予め設定された所属の回線インタフェースの分離バス上のポート番号を付すリード制御回路を有し、このポート番号に基づいて前記回線インタフェース部が前記多重／分離バスからの読み出し信号を選別して抽出するようにしたことを特徴とするループ式データ伝送装置。
【請求項１１】
多重化／多重分離部は、多重／分離バス上に設定されるアドレス信号を生成して所定の回線インタフェース部へ送るとともに、このアドレス信号による制御で、分離メモリまたは局内交換メモリの多重／分離バスへの読み出しを行うリード制御回路を備え、前記リード制御回路から送られてきた前記多重／分離バス上のアドレス信号に基づき、前記回線インタフェース部が前記多重／分離バスからの信号の読み出しを行うようにしたことを特徴とする請求項１ないし請求項８の何れか１項に記載のループ式データ伝送装置。
【請求項１２】
デジタル化多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記伝送路の途中に配置され、前記伝送路に伝送される信号のうち、所定のタイムスロットの信号を抽出して多重分離し前記端末装置に向けて送り出し、または前記端末装置からの信号を取り込んで多重化し、前記伝送路へ送り出すノード装置とからなるループ式データ伝送装置において、
前記ノード装置は、前記伝送路に伝送されるＳＤＨ方式の多重化フレーム信号にアクセスし、割り当てられたタイムスロットから信号を選択的に抽出して多重分離し、前記端末装置に向けて送り出し、または前記端末装置からの信号を取り込んで割り当てられたタイムスロットへ選択的に配置し、多重化して前記伝送路へ送り出す多重化／多重分離部を備え、前記多重化／多重分離部は、回線インタフェース部からの信号に付された多重化要求信号と、多重メモリに記憶された信号の多重／中継ビットのＡＮＤ条件が論理“１”のときに、受信中継信号に代え多重メモリのデータを選択して送出するセレクタを有したことを特徴とするループ式データ伝送装置。
【請求項１３】
デジタル化光多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記ループ状の伝送路の途中に配置され、前記伝送路に伝送される多重化フレーム信号のうち所定のタイムスロットの信号を抽出して多重分離し、前記端末装置に向けて送り出し、または前記端末装置からの信号を取り込んで前記多重化フレーム信号の所定タイムスロットへ配置して多重化し前記伝送路へ送り出すノード装置とからなるループ式データ伝送装置において、
前記ノード装置は、前記第１の伝送路からの光信号を電気信号に変換して前記ノード装置の内部回路へ導くとともに前記ノード装置の内部回路からの電気信号を光信号に変換して第２の伝送路に送り出す第１の終端部と、前記第２の伝送路からの光信号を電気信号に変換して前記ノード装置の内部回路へ導くとともに前記ノード装置の内部回路からの電気信号を光信号に変換して第１の伝送路に送り出す第２の終端部と、前記第１または第２の伝送路のうち予め設定された一方の伝送路からの信号を選択して取り込み、同方向に向う他方の伝送路、または同方向に向かう一方の伝送路へ信号の送出を行う系選択回路と、前記端末装置からの伝送信号を多重化フレーム信号の所定のタイムスロット位置に配置して多重化を行うと共に、前記系選択回路から送り込まれた多重化フレーム信号の所定のタイムスロット位置から伝送信号を抽出して多重分離を行う多重化／多重分離部と、共通の信号路で構成され、前記多重化／多重分離部と前記端末装置との間の信号の受け渡しをする多重／分離バスと、前記端末装置と前記多重／分離バスの間のインタフェースをとる回線インタフェース部と、ノード管理バスを経てノード内各装置の動作状態の管理を行うノード管理プロセッサ部とを備え、前記多重化／多重分離部は、回線インタフェース部からの信号に付された多重化要求信号と、多重メモリに記憶された信号の多重／中継ビットのＡＮＤ条件が論理“１”のときに、受信中継信号に代え多重メモリのデータを選択して送出するセレクタを有したことを特徴とするループ式データ伝送装置。
【請求項１４】
デジタル化多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記伝送路の途中に配置され、前記伝送路に伝送される信号のうち、所定のタイムスロットの信号を抽出して多重分離し前記端末装置に向けて送り出し、または前記端末装置からの信号を取り込んで多重化し、前記伝送路へ送り出すノード装置とからなるループ式データ伝送装置において、
前記ノード装置は、前記伝送路に伝送されるＳＤＨ方式の多重化フレーム信号にアクセスし、割り当てられたタイムスロットから信号を選択的に抽出して多重分離し、前記端末装置に向けて送り出し、または前記端末装置からの信号を取り込んで割り当てられたタイムスロットへ選択的に配置し、多重化して前記伝送路へ送り出す多重化／多重分離部を備
え、前記多重化／多重分離部は、多重化／多重分離部の各回路に初期化を指示するとともに、初期化完了状態を保持する記憶回路を有し、多重メモリに記憶された信号の多重／中継ビットと初期化完了を示す前記記憶回路の出力とによって、多重メモリのデータを選択し出力するようにしたことを特徴とするループ式データ伝送装置。
【請求項１５】
デジタル化光多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、前記ループ状の伝送路の途中に配置され、前記伝送路に伝送される多重化フレーム信号のうち所定のタイムスロットの信号を抽出して多重分離し、前記端末装置に向けて送り出し、または前記端末装置からの信号を取り込んで前記多重化フレーム信号の所定タイムスロットへ配置して多重化し前記伝送路へ送り出すノード装置とからなるループ式データ伝送装置において
前記ノード装置は、前記第１の伝送路からの光信号を電気信号に変換して前記ノード装置の内部回路へ導くとともに前記ノード装置の内部回路からの電気信号を光信号に変換して第２の伝送路に送り出す第１の終端部と、前記第２の伝送路からの光信号を電気信号に変換して前記ノード装置の内部回路へ導くとともに前記ノード装置の内部回路からの電気信号を光信号に変換して第１の伝送路に送り出す第２の終端部と、前記第１または第２の伝送路のうち予め設定された一方の伝送路からの信号を選択して取り込み、同方向に向う他方の伝送路、または同方向に向かう一方の伝送路へ信号の送出を行う系選択回路と、前記端末装置からの伝送信号を多重化フレーム信号の所定のタイムスロット位置に配置して多重化を行うと共に、前記系選択回路から送り込まれた多重化フレーム信号の所定のタイムスロット位置から伝送信号を抽出して多重分離を行う多重化／多重分離部と、共通の信号路で構成され、前記多重化／多重分離部と前記端末装置との間の信号の受け渡しをする多重／分離バスと、前記端末装置と前記多重／分離バスの間のインタフェースをとる回線インタフェース部と、ノード管理バスを経てノード内各装置の動作状態の管理を行うノード管理プロセッサ部とを備え、前記多重化／多重分離部は、多重化／多重分離部の各回路に初期化を指示するとともに、初期化完了状態を保持する記憶回路を有し、多重メモリに記憶された信号の多重／中継ビットと初期化完了を示す前記記憶回路の出力とによって、多重メモリのデータを選択し出力するようにしたことを特徴とするループ式データ伝送装置。
【発明の詳細な説明】
【０００１】
【発明の属する技術分野】
この発明は、ループ状伝送路に複数のノード装置を接続し、各ノード装置に接続された端末装置間でデータ伝送を行う、ループ式データ伝送装置に関し、特に多重伝送方式としてＳＤＨ（  同期デジタル・ハイアラ−キ）によるフレーム構造を有するループ式データ伝送装置に関するものである。
【０００２】
【従来の技術】
図１４は、例えば特開平５−２６８２３５号公報に示されているＳＤＨ方式を用いたループ式データ伝送方式の構成図である。図においてＮ１〜Ｎ６はノード装置、９１はこれらノード装置に接続されている端末装置である。１０は０系伝送路、１１は１系伝送路であり、２重ループの伝送路になっている。なお、上記伝送路の信号は高速デジタル信号に適用されるＳＤＨ方式のフレーム構造を採用している。
【０００３】
図１５は、前記ノード装置Ｎ１〜Ｎ６の構成図である。各ノード装置は同一構成になっている。図１５において図１４と同じ符号のものは同じ機能のものを示す。５０は０系伝送路インタフェース、５１は１系伝送路インタフェースで、それぞれ受信回路と送信回路とを備え、０系、１系のループ伝送路とループバック回路７１の間のインタフェースをとる。７１はループバック切り替えを行うループバック回路、７２は信号の多重化または多重分離を行う多重化／多重分離部、６はループバック回路７１と多重化／多重分離部７２の切り替え動作を制御するノード制御回路、８は端末装置９１と多重化／多重分離部７２の間のインタフェース機能を司る回線インタフェースである。
【０００４】
また、図１６は、ＳＤＨの基本構造であるＳＴＭ−１の多重化フレーム構造を示す。ＳＴＭ−１では、１フレーム１２５μｓ（音声情報の符号化の基本周期）に９列２７０行のタイムスロットを持つように構成されている。ここで、１タイムスロットは６４Ｋｂ／ｓ相当の伝送容量を有する。従って、ＳＴＭ−１の伝送容量は、１５５．５２Ｍｂ／ｓとなる。
【０００５】
多重化フレームの構造は、バイト単位の行数と列数で表現されているが、これは高速となるとビット数が多くなり、横１列では書き切れないことと、ネットワークの管理に使うオーバヘッド信号を集中的に配置して見やすくするためである。ＳＴＭ−１のフレーム構造は、９列目以降２６１列は各種情報を収容するタイムスロットであり、ペイロードと呼ばれる。なお図１６に記載の例は３組のバーチャルコンテナＶＣ−３で構成されており、その先頭にコンテナの監視信号であるパスオーバヘッド（Ｐ．Ｏ．Ｈ）が配置されている。一方最初の９行×９列は各種情報を伝達する際のネットワーク管理情報を収容するセクションオーバヘッド（Ｓ．Ｏ．Ｈ）と、ペイロードに収容される多重化情報の先頭位置を指定するポインターに割り当てられている。ＳＤＨの基本構成であるＳＴＭ−１への多重化は、バーチャルコンテナ（ＶＣ）と呼ばれる規格化された伝送容量を単位として積み上げていく。バーチャルコンテナは、既存の低速情報を含む各種の情報が多重化できるように準備されているが、その最小ハンドリング単位は、１．５４４Ｍｂ／ｓ（６４Ｋｂ／ｓで、２４ＣＨ相当）である。なお、図１６で多重化されるバーチャルコンテナＶＣ−３のフレームを、ペイロードからずらせて表現しているのは、ＳＴＭ−１の時間位相とＶＣ−３のフレーム位相が変化する事を表している。
【０００６】
図１７はＴＴＣ（社団法人電信電話技術委員会）で標準化された多重化構造を示す。図からわかるように、各種の伝送容量を持ったコンテナ（Ｃ−１、Ｃ−２、Ｃ−３、Ｃ−４）を積み上げてＳＴＭ−１のフレーム構造を構築しているが、最小のコンテナはＣ１（１．５４４Ｍｂ／ｓ）コンテナである。つまりＳＴＭ−ｎの最小ハンドリング容量は１．５４４Ｍｂ／ｓである。
【０００７】
次に動作を説明する。０系伝送路１０から入力した受信信号は０系伝送路インタフェース５０に入力され、デジタル信号に変換されてループバック回路７１に導かれ、さらに伝送装置の動作状態に応じた制御による信号選択が行われ、多重化／多重分離部７２へ導かれる。多重化／多重分離部７２はＳＤＨ多重化構造に基ずき多重化されたデータを多重分離し、そのうち、端末装置９１毎に予め割り当てられているフレーム上のタイムスロット位置にマッピングされているデータを端末インタフェース８へ出力し、それ以外のデータを一時記憶する。一方端末装置９１からの信号は、回線インタフェース装置８でデジタル信号に変換されて多重化／多重分離部７２に渡される。この多重化／多重分離部７２では端末装置９１毎に予め定められているタイムスロット位置にマッピングされ、前記多重化／多重分離部７２で一時記憶されている信号と多重化されて、ループバック回路７１および０系伝送路インタフェース５０を経て０系伝送路１０に送り出される。
【０００８】
【発明が解決しようとする課題】
従来のループ式伝送装置は以上のように構成され、多重化および多重分離を段階的に行っていたが、ＳＤＨの多重化構造の規格では、１．５４４Ｍｂ／ｓから上の高速信号しか規定されておらず、このため低速信号、例えば６４Ｋｂ／ｓの信号を多重化／多重分離する場合には、別の装置により一度６４Ｋｂ／ｓから１．５４４Ｋｂ／ｓヘ多重変換を行い、この信号をノード装置の多重化／多重分離部に接続する必要があった。このため構成が複雑になるという問題があった。
【０００９】
さらに、従来のＳＤＨ方式フレーム構造の信号を使ったループ式伝送装置では、最低でも１．５４４Ｍｂ／ｓの伝送速度の単位でタイムスロットの割付が行われるので、あるノード装置間の通信に必要な伝送速度が例えば６４Ｋｂ／ｓでよい場合でも、最低のハンドリング容量である１．５４４Ｍｂ／ｓ分のタイムスロットを割り付けることになり、回線の使用効率が非常に悪いという問題があった。
【００１０】
この発明は、このような課題を解決するためになされたものであり、第１の目的は、伝送速度が６４Ｋｂ／ｓのような低速信号でも、段階的な多重化を経ることなく直接ＳＴＭ−１のフレームへ多重化し、構成の単純化と回線の使用効率を高めること、第２の目的は、多重化フレーム上のタイムスロットの位置の入替えをタイムスロット単位で出来るようにし、ノード装置内での局内交換を可能にする、かつ、この多重化フレーム上のタイムスロットの位置の割付をオンライン中でも設定出来るようにすること、第３の目的は、各構成要素、具体的には回線インタフェース部、多重化／多重化分離部の構成を単純にすること、第４の目的は、回線インタフェース部の故障や回線インタフェース部が無い場合に、不正なデータが端末から送信されるのを防止すること、第５の目的は、多重化／多重分離部の初期設定が完了していない場合に不正なデータが端末から送信されるのを防止すること、等である。
【００１１】
【課題を解決するための手段】
この発明に係るループ式データ伝送装置は、デジタル化多重信号を所定方向に伝送する第１の伝送路と所定方向とは反対方向に伝送する第２の伝送路とからなるループ状の伝送路と、ループ状の伝送路を介して相互に信号のやり取りを行う複数の端末装置と、伝送路の途中に配置され、伝送路に伝送される信号のうち、所定のタイムスロットの信号を抽出して多重分離し端末装置に向けて送り出し、または端末装置からの信号を取り込んで多重化し、伝送路へ送り出すノード装置とからなるループ式データ伝送装置において、ノード装置は、伝送路に伝送されるＳＤＨ方式の多重化フレーム信号にアクセスし、割り当てられたタイムスロットから信号を選択的に抽出して多重分離し、端末装置に向けて送り出し、または端末装置からの信号を取り込んで割り当てられたタイムスロットへ選択的に配置し、多重化して伝送路へ送り出す多重化／多重分離部を備え、多重化／多重分離部は、伝送路からのデジタル受信信号を再び伝送路へ送り出すまでの間一時記憶する受信中継メモリと、端末装置から送り込まれた多重化のためのデジタル多重化信号を一時記憶する多重メモリと、受信中継メモリから読み出される内容を多重メモリから読み出される内容に部分的に入替えるための多重化フレーム上のタイムスロットのアドレスの指定と、この入替えを制御する信号を発生する多重メモリアドレス変換部と、受信中継メモリの内容と多重メモリの内容とを多重メモリアドレス変換部からの制御に基づいて切り替えるセレクタ部とを有し、デジタル化受信中継信号とデジタル多重化信号の入替えを可能としたものである。
【００１２】
また、この発明に係るループ式データ伝送装置は、デジタル化光多重信号を所定方向に伝送する第１の伝送路と所定方向とは反対方向に伝送する第２の伝送路とからなるループ状の伝送路と、ループ状の伝送路を介して相互に信号のやり取りを行う複数の端末装置と、ループ状の伝送路の途中に配置され、伝送路に伝送される多重化フレーム信号のうち所定のタイムスロットの信号を抽出して多重分離し、端末装置に向けて送り出し、または端末装置からの信号を取り込んで前記多重化フレーム信号の所定タイムスロットへ配置して多重化し伝送路へ送り出すノード装置とからなるループ式データ伝送装置において、ノード装置は、第１の伝送路からの光信号を電気信号に変換してノード装置の内部回路へ導くともにノード装置の内部回路からの電気信号を光信号に変換して第２の伝送路に送り出す第１の終端部と、第２の伝送路からの光信号を電気信号に変換してノード装置の内部回路へ導くとともにノード装置の内部回路からの電気信号を光信号に変換して第１の伝送路に送り出す第２の終端部と、第１または第２の伝送路のうち予め設定された一方の伝送路からの信号を選択して取り込み、同方向に向う他方の伝送路、または同方向に向かう一方の伝送路へ信号の送出を行う系選択回路と、端末装置からの伝送信号を多重化フレーム信号の所定のタイムスロット位置に配置して多重化を行うと共に、系選択回路から送り込まれた多重化フレーム信号の所定のタイムスロット位置から伝送信号を抽出して多重分離を行う多重化／多重分離部と、共通の信号路で構成され、多重化／多重分離部と前記端末装置との間の信号の受け渡しをする多重／分離バスと、端末装置と前記多重／分離バスの間のインタフェースをとる回線インタフェース部と、ノード管理バスを経てノード内各装置の動作状態の管理を行うノード管理プロセッサ部とを備え、多重化／多重分離部は、伝送路からのデジタル受信信号を再び伝送路へ送り出すまでの間一時記憶する受信中継メモリと、端末装置から送り込まれた多重化のためのデジタル多重化信号を一時記憶する多重メモリと、受信中継メモリから読み出される内容を多重メモリから読み出される内容に部分的に入替えるための多重化フレーム上のタイムスロットのアドレスの指定と、この入替えを制御する信号を発生する多重メモリアドレス変換部と、受信中継メモリの内容と多重メモリの内容とを多重メモリアドレス変換部からの制御に基づいて切り替えるセレクタ部とを有し、デジタル化受信中継信号とデジタル多重化信号の入替えを可能としたものである。
【００１３】
また、この発明に係るループ式データ伝送装置は、デジタル化多重信号を所定方向に伝送する第１の伝送路と所定方向とは反対方向に伝送する第２の伝送路とからなるループ状の伝送路と、ループ状の伝送路を介して相互に信号のやり取りを行う複数の端末装置と、伝送路の途中に配置され、伝送路に伝送される信号のうち、所定のタイムスロットの信号を抽出して多重分離し前記端末装置に向けて送り出し、または端末装置からの信号を取り込んで多重化し、伝送路へ送り出すノード装置とからなるループ式データ伝送装置において、ノード装置は、前記伝送路に伝送されるＳＤＨ方式の多重化フレーム信号にアクセスし、割り当てられたタイムスロットから信号を選択的に抽出して多重分離し、端末装置に向けて送り出し、または端末装置からの信号を取り込んで割り当てられたタイムスロットへ選択的に配置し、多重化して伝送路へ送り出す多重化／多重分離部を備え、多重化／多重分離部は、伝送路からのデジタル受信信号を再び伝送路へ送り出すまでの間一時記憶する受信中継メモリと、端末装置から送り込まれる多重化のためのデジタル多重化信号を一時記憶する多重メモリと、多重メモリから読み出される内容を受信中継メモリから読み出される内容に入替える部分の多重化フレーム上のタイムスロットのアドレスの指定と、この入替えを制御する信号を発生する多重メモリアドレス変換部と、受信中継メモリの内容と多重メモリの内容を前記多重メモリアドレス変換部からの制御に基づいて切り替えるセレクタ部と、デジタル受信信号を多重分離するために一時記憶する分離メモリと、端末装置から送り込まれる多重化のためのデジタル多重化信号を一時記憶する局内交換メモリと、局内交換メモリから読み出される内容を前記分離メモリから読み出される内容に入替える部分の多重化フレーム上のタイムスロットのアドレスの指定と、この入替えを制御する信号を発生する分離メモリアドレス変換部と、分離メモリの内容と局内交換メモリの内容を分離メモリアドレス変換部からの制御に基づいて切り替えるセレクタとを有し、デジタル受信信号とデジタル多重化信号の入替え、および分離メモリの内容と局内交換メモリの内容の入替えによる局内交換を可能としたものである。
【００１４】
また、この発明に係るループ式データ伝送装置は、デジタル化光多重信号を所定方向に伝送する第１の伝送路と所定方向とは反対方向に伝送する第２の伝送路とからなるループ状の伝送路と、ループ状の伝送路を介して相互に信号のやり取りを行う複数の端末装置と、ループ状の伝送路の途中に配置され、伝送路に伝送される多重化フレーム信号のうち所定のタイムスロットの信号を抽出して多重分離し、端末装置に向けて送り出し、または端末装置からの信号を取り込んで多重化フレーム信号の所定タイムスロットへ配置して多重化し伝送路へ送り出すノード装置とからなるループ式データ伝送装置において、ノード装置は、第１の伝送路からの光信号を電気信号に変換してノード装置の内部回路へ導くとともにノード装置の内部回路からの電気信号を光信号に変換して第２の伝送路に送り出す第１の終端部と、第２の伝送路からの光信号を電気信号に変換してノード装置の内部回路へ導くとともにノード装置の内部回路からの電気信号を光信号に変換して第１の伝送路に送り出す第２の終端部と、第１または第２の伝送路のうち予め設定された一方の伝送路からの信号を選択して取り込み、同方向に向う他方の伝送路、または同方向に向かう一方の伝送路へ信号の送出を行う系選択回路と、端末装置からの伝送信号を多重化フレーム信号の所定のタイムスロット位置に配置して多重化を行うと共に、系選択回路から送り込まれた多重化フレーム信号の所定のタイムスロット位置から伝送信号を抽出して多重分離を行う多重化／多重分離部と、共通の信号路で構成され、多重化／多重分離部と前記端末装置との間の信号の受け渡しをする多重／分離バスと、端末装置と前記多重／分離バスの間のインタフェースをとる回線インタフェース部と、ノード管理バスを経てノード内各装置の動作状態の管理を行うノード管理プロセッサ部とを備え、多重化／多重分離部は、伝送路からのデジタル受信信号を再び伝送路へ送り出すまでの間一時記憶する受信中継メモリと、端末装置から送り込まれる多重化のためのデジタル多重化信号を一時記憶する多重メモリと、多重メモリから読み出される内容を受信中継メモリから読み出される内容に入替える部分の多重化フレーム上のタイムスロットのアドレスの指定と、この入替えを制御する信号を発生する多重メモリアドレス変換部と、受信中継メモリの内容と多重メモリの内容を多重メモリアドレス変換部からの制御に基づいて切り替えるセレクタ部と、デジタル受信信号を多重分離するために一時記憶する分離メモリと、端末装置から送り込まれる多重化のためのデジタル多重化信号を一時記憶する局内交換メモリと、局内交換メモリから読み出される内容を前記分離メモリから読み出される内容に入替える部分の多重化フレーム上のタイムスロットのアドレスの指定と、この入替えを制御する信号を発生する分離メモリアドレス変換部と、分離メモリの内容と局内交換メモリの内容を前記分離メモリアドレス変換部からの制御に基づいて切り替えるセレクタとを有し、デジタル受信信号とデジタル多重化信号の入替え、および分離メモリの内容と局内交換メモリの内容の入替えによる局内交換を可能としたものである。
【００１５】
また、この発明に係るループ式データ伝送装置は、デジタル化多重信号を所定方向に伝送する第１の伝送路と所定方向とは反対方向に伝送する第２の伝送路とからなるループ状の伝送路と、ループ状の伝送路を介して相互に信号のやり取りを行う複数の端末装置と、伝送路の途中に配置され、伝送路に伝送される信号のうち、所定のタイムスロットの信号を抽出して多重分離し端末装置に向けて送り出し、または端末装置からの信号を取り込んで多重化し、伝送路へ送り出すノード装置とからなるループ式データ伝送装置において、
ノード装置は、伝送路に伝送されるＳＤＨ方式の多重化フレーム信号にアクセスし、割り当てられたタイムスロットから信号を選択的に抽出して多重分離し、端末装置に向けて送り出し、または端末装置からの信号を取り込んで割り当てられたタイムスロットへ選択的に配置し、多重化して前記伝送路へ送り出す多重化／多重分離部を備え、多重化／多重分離部は、２ポートメモリで構成された多重メモリアドレス変換部および分離アドレス変換部と、ノード管理バスを経てこれらメモリの設定を行うノード管理プロセッサ部とを有したものである。
【００１６】
また、この発明に係るループ式データ伝送装置は、デジタル化光多重信号を所定方向に伝送する第１の伝送路と所定方向とは反対方向に伝送する第２の伝送路とからなるループ状の伝送路と、ループ状の伝送路を介して相互に信号のやり取りを行う複数の端末装置と、ループ状の伝送路の途中に配置され、伝送路に伝送される多重化フレーム信号のうち所定のタイムスロットの信号を抽出して多重分離し、端末装置に向けて送り出し、または端末装置からの信号を取り込んで前記多重化フレーム信号の所定タイムスロットへ配置して多重化し伝送路へ送り出すノード装置とからなるループ式データ伝送装置において、ノード装置は、第１の伝送路からの光信号を電気信号に変換してノード装置の内部回路へ導くとともにノード装置の内部回路からの電気信号を光信号に変換して第２の伝送路に送り出す第１の終端部と、第２の伝送路からの光信号を電気信号に変換してノード装置の内部回路へ導くとともにノード装置の内部回路からの電気信号を光信号に変換して第１の伝送路に送り出す第２の終端部と、第１または第２の伝送路のうち予め設定された一方の伝送路からの信号を選択して取り込み、同方向に向う他方の伝送路、または同方向に向かう一方の伝送路へ信号の送出を行う系選択回路と、端末装置からの伝送信号を多重化フレーム信号の所定のタイムスロット位置に配置して多重化を行うと共に、系選択回路から送り込まれた多重化フレーム信号の所定のタイムスロット位置から伝送信号を抽出して多重分離を行う多重化／多重分離部と、共通の信号路で構成され、多重化／多重分離部と端末装置との間の信号の受け渡しをする多重／分離バスと、端末装置と多重／分離バスの間のインタフェースをとる回線インタフェース部と、ノード管理バスを経てノード内各装置の動作状態の管理を行うノード管理プロセッサ部とを備え、多重化／多重分離部は、２ポートメモリで構成された多重メモリアドレス変換部および分離アドレス変換部と、ノード管理バスを経てこれらメモリの設定を行うノード管理プロセッサ部とを有したものである。
【００１７】
また、この発明に係るループ式データ伝送装置は、デジタル化多重信号を所定方向に伝送する第１の伝送路と所定方向とは反対方向に伝送する第２の伝送路とからなるループ状の伝送路と、ループ状の伝送路を介して相互に信号のやり取りを行う複数の端末装置と、伝送路の途中に配置され、伝送路に伝送される信号のうち、所定のタイムスロットの信号を抽出して多重分離し前記端末装置に向けて送り出し、または端末装置からの信号を取り込んで多重化し、伝送路へ送り出すノード装置とからなるループ式データ伝送装置において、ノード装置は、伝送路に伝送されるＳＤＨ方式の多重化フレーム信号にアクセスし、割り当てられたタイムスロットから信号を選択的に抽出して多重分離し、端末装置に向けて送り出し、または端末装置からの信号を取り込んで割り当てられたタイムスロットへ選択的に配置し、多重化して伝送路へ送り出す多重化／多重分離部を備え、多重化／多重分離部は、各回線インタフェース部に付与された固有のポート番号と対応ずけたポート番号を多重／分離バスへの入力信号に付与する手段を有し、多重／分離バスへの入力信号に付された固有のポート番号により、多重／分離バス上の信号を回線インタフェース部が抽出するようにしたものである。
また、この発明に係るループ式データ伝送装置は、デジタル化光多重信号を所定方向に伝送する第１の伝送路と所定方向とは反対方向に伝送する第２の伝送路とからなるループ状の伝送路と、ループ状の伝送路を介して相互に信号のやり取りを行う複数の端末装置と、ループ状の伝送路の途中に配置され、伝送路に伝送される多重化フレーム信号のうち所定のタイムスロットの信号を抽出して多重分離し、端末装置に向けて送り出し、または端末装置からの信号を取り込んで多重化フレーム信号の所定タイムスロットへ配置して多重化し伝送路へ送り出すノード装置とからなるループ式データ伝送装置において、ノード装置は、第１の伝送路からの光信号を電気信号に変換してノード装置の内部回路へ導くとともにノード装置の内部回路からの電気信号を光信号に変換して第２の伝送路に送り出す第１の終端部と、第２の伝送路からの光信号を電気信号に変換してノード装置の内部回路へ導くとともにノード装置の内部回路からの電気信号を光信号に変換して第１の伝送路に送り出す第２の終端部と、第１または第２の伝送路のうち予め設定された一方の伝送路からの信号を選択して取り込み、同方向に向う他方の伝送路、または同方向に向かう一方の伝送路へ信号の送出を行う系選択回路と、端末装置からの伝送信号を多重化フレーム信号の所定のタイムスロット位置に配置して多重化を行うと共に、系選択回路から送り込まれた多重化フレーム信号の所定のタイムスロット位置から伝送信号を抽出して多重分離を行う多重化／多重分離部と、共通の信号路で構成され、多重化／多重分離部と端末装置との間の信号の受け渡しをする多重／分離バスと、端末装置と多重／分離バスの間のインタフェースをとる回線インタフェース部と、ノード管理バスを経てノード内各装置の動作状態の管理を行うノード管理プロセッサ部とを備え、多重化／多重分離部は、各回線インタフェース部に付与された固有のポート番号と対応ずけたポート番号を多重／分離バスへの入力信号に付与する手段を有し、多重／分離バスへの入力信号に付された固有のポート番号により、多重／分離バス上の信号を回線インタフェース部が抽出するようにしたものである。
【００１８】
また、この発明に係るループ式データ伝送装置は、デジタル化多重信号を所定方向に伝送する第１の伝送路と所定方向とは反対方向に伝送する第２の伝送路とからなるループ状の伝送路と、ループ状の伝送路を介して相互に信号のやり取りを行う複数の端末装置と、伝送路の途中に配置され、伝送路に伝送される信号のうち、所定のタイムスロットの信号を抽出して多重分離し端末装置に向けて送り出し、または端末装置からの信号を取り込んで多重化し、前記伝送路へ送り出すノード装置とからなるループ式データ伝送装置において、ノード装置は、伝送路に伝送されるＳＤＨ方式の多重化フレーム信号にアクセスし、割り当てられたタイムスロットから信号を選択的に抽出して多重分離し、端末装置に向けて送り出し、または端末装置からの信号を取り込んで割り当てられたタイムスロットへ選択的に配置し、多重化して前記伝送路へ送り出す多重化／多重分離部を備え、多重化／多重分離部は、分離メモリまたは局内交換メモリから多重／分離バスへの読み出し信号に、予め設定された所属の回線インタフェースの分離バス上のポート番号を付すリード制御回路を有し、このポート番号に基づいて前記回線インタフェース部が多重／分離バスからの読み出し信号を選別して抽出するようにしたものである。
また、この発明に係るループ式データ伝送装置は、デジタル化光多重信号を所定方向に伝送する第１の伝送路と所定方向とは反対方向に伝送する第２の伝送路とからなるループ状の伝送路と、ループ状の伝送路を介して相互に信号のやり取りを行う複数の端末装置と、ループ状の伝送路の途中に配置され、伝送路に伝送される多重化フレーム信号のうち所定のタイムスロットの信号を抽出して多重分離し、端末装置に向けて送り出し、または端末装置からの信号を取り込んで多重化フレーム信号の所定タイムスロットへ配置して多重化し伝送路へ送り出すノード装置とからなるループ式データ伝送装置において、ノード装置は、第１の伝送路からの光信号を電気信号に変換してノード装置の内部回路へ導くとともにノード装置の内部回路からの電気信号を光信号に変換して第２の伝送路に送り出す第１の終端部と、第２の伝送路からの光信号を電気信号に変換してノード装置の内部回路へ導くとともにノード装置の内部回路からの電気信号を光信号に変換して第１の伝送路に送り出す第２の終端部と、第１または第２の伝送路のうち予め設定された一方の伝送路からの信号を選択して取り込み、同方向に向う他方の伝送路、または同方向に向かう一方の伝送路へ信号の送出を行う系選択回路と、端末装置からの伝送信号を多重化フレーム信号の所定のタイムスロット位置に配置して多重化を行うと共に、系選択回路から送り込まれた多重化フレーム信号の所定のタイムスロット位置から伝送信号を抽出して多重分離を行う多重化／多重分離部と、共通の信号路で構成され、多重化／多重分離部と端末装置との間の信号の受け渡しをする多重／分離バスと、前記端末装置と前記多重／分離バスの間のインタフェースをとる回線インタフェース部と、ノード管理バスを経てノード内各装置の動作状態の管理を行うノード管理プロセッサ部とを備え、多重化／多重分離部は、分離メモリまたは局内交換メモリから多重／分離バスへの読み出し信号に、予め設定された所属の回線インタフェースの分離バス上のポート番号を付すリード制御回路を有し、このポート番号に基づいて回線インタフェース部が多重／分離バスからの読み出し信号を選別して抽出するようにしたものである。
また、この発明に係るループ式データ伝送装置の多重化／多重分離部は、多重／分離バス上に設定されるアドレス信号を生成して所定の回線インタフェース部へ送るとともに、このアドレス信号による制御で、分離メモリまたは局内交換メモリの多重／分離バスへの読み出しを行うリード制御回路を備え、リード制御回路から送られてきた多重／分離バス上のアドレス信号に基づき、回線インタフェース部が多重／分離バスからの信号の読み出しを行うようにしたものである。
【００１９】
また、この発明に係るループ式データ伝送装置は、デジタル化多重信号を所定方向に伝送する第１の伝送路と所定方向とは反対方向に伝送する第２の伝送路とからなるループ状の伝送路と、ループ状の伝送路を介して相互に信号のやり取りを行う複数の端末装置と、伝送路の途中に配置され、伝送路に伝送される信号のうち、所定のタイムスロットの信号を抽出して多重分離し端末装置に向けて送り出し、または端末装置からの信号を取り込んで多重化し、伝送路へ送り出すノード装置とからなるループ式データ伝送装置において、
ノード装置は、伝送路に伝送されるＳＤＨ方式の多重化フレーム信号にアクセスし、割り当てられたタイムスロットから信号を選択的に抽出して多重分離し、端末装置に向けて送り出し、または端末装置からの信号を取り込んで割り当てられたタイムスロットへ選択的に配置し、多重化して伝送路へ送り出す多重化／多重分離部を備え、多重化／多重分離部は、回線インタフェース部からの信号に付された多重化要求信号と、多重メモリに記憶された信号の多重／中継ビットのＡＮＤ条件が論理“１”のときに、受信中継信号に代え多重メモリのデータを選択して送出するセレクタを有したものである。
また、この発明に係るループ式データ伝送装置は、デジタル化光多重信号を所定方向に伝送する第１の伝送路と所定方向とは反対方向に伝送する第２の伝送路とからなるループ状の伝送路と、ループ状の伝送路を介して相互に信号のやり取りを行う複数の端末装置と、ループ状の伝送路の途中に配置され、伝送路に伝送される多重化フレーム信号のうち所定のタイムスロットの信号を抽出して多重分離し、前記端末装置に向けて送り出し、または端末装置からの信号を取り込んで多重化フレーム信号の所定タイムスロットへ配置して多重化し前記伝送路へ送り出すノード装置とからなるループ式データ伝送装置において、
ノード装置は、第１の伝送路からの光信号を電気信号に変換してノード装置の内部回路へ導くとともに前記ノード装置の内部回路からの電気信号を光信号に変換して第２の伝送路に送り出す第１の終端部と、第２の伝送路からの光信号を電気信号に変換してノード装置の内部回路へ導くとともにノード装置の内部回路からの電気信号を光信号に変換して第１の伝送路に送り出す第２の終端部と、第１または第２の伝送路のうち予め設定された一方の伝送路からの信号を選択して取り込み、同方向に向う他方の伝送路、または同方向に向かう一方の伝送路へ信号の送出を行う系選択回路と、端末装置からの伝送信号を多重化フレーム信号の所定のタイムスロット位置に配置して多重化を行うと共に、系選択回路から送り込まれた多重化フレーム信号の所定のタイムスロット位置から伝送信号を抽出して多重分離を行う多重化／多重分離部と、共通の信号路で構成され、多重化／多重分離部と前記端末装置との間の信号の受け渡しをする多重／分離バスと、端末装置と前記多重／分離バスの間のインタフェースをとる回線インタフェース部と、ノード管理バスを経てノード内各装置の動作状態の管理を行うノード管理プロセッサ部とを備え、多重化／多重分離部は、回線インタフェース部からの信号に付された多重化要求信号と、多重メモリに記憶された信号の多重／中継ビットのＡＮＤ条件が論理“１”のときに、受信中継信号に代え多重メモリのデータを選択して送出するセレクタを有したものである。
【００２０】
また、この発明に係るループ式データ伝送装置は、デジタル化多重信号を所定方向に伝送する第１の伝送路と所定方向とは反対方向に伝送する第２の伝送路とからなるループ状の伝送路と、ループ状の伝送路を介して相互に信号のやり取りを行う複数の端末装置と、伝送路の途中に配置され、伝送路に伝送される信号のうち、所定のタイムスロットの信号を抽出して多重分離し端末装置に向けて送り出し、または端末装置からの信号を取り込んで多重化し、伝送路へ送り出すノード装置とからなるループ式データ伝送装置において、
ノード装置は、前記伝送路に伝送されるＳＤＨ方式の多重化フレーム信号にアクセスし、割り当てられたタイムスロットから信号を選択的に抽出して多重分離し、端末装置に向けて送り出し、または端末装置からの信号を取り込んで割り当てられたタイムスロットへ選択的に配置し、多重化して前記伝送路へ送り出す多重化／多重分離部を備え、多重化／多重分離部は、多重化／多重分離部の各回路に初期化を指示するとともに、初期化完了状態を保持する記憶回路を有し、多重メモリに記憶された信号の多重／中継ビットと初期化完了を示す前記記憶回路の出力とによって、多重メモリのデータを選択し出力するようにしたものである。
また、この発明に係るループ式データ伝送装置は、デジタル化光多重信号を所定方向に伝送する第１の伝送路と所定方向とは反対方向に伝送する第２の伝送路とからなるループ状の伝送路と、前記ループ状の伝送路を介して相互に信号のやり取りを行う複数の端末装置と、ループ状の伝送路の途中に配置され、伝送路に伝送される多重化フレーム信号のうち所定のタイムスロットの信号を抽出して多重分離し、端末装置に向けて送り出し、または端末装置からの信号を取り込んで多重化フレーム信号の所定タイムスロットへ配置して多重化し前記伝送路へ送り出すノード装置とからなるループ式データ伝送装置において
ノード装置は、第１の伝送路からの光信号を電気信号に変換して前記ノード装置の内部回路へ導くとともにノード装置の内部回路からの電気信号を光信号に変換して第２の伝送路に送り出す第１の終端部と、第２の伝送路からの光信号を電気信号に変換してノード装置の内部回路へ導くとともにノード装置の内部回路からの電気信号を光信号に変換して第１の伝送路に送り出す第２の終端部と、第１または第２の伝送路のうち予め設定された一方の伝送路からの信号を選択して取り込み、同方向に向う他方の伝送路、または同方向に向かう一方の伝送路へ信号の送出を行う系選択回路と、端末装置からの伝送信号を多重化フレーム信号の所定のタイムスロット位置に配置して多重化を行うと共に、系選択回路から送り込まれた多重化フレーム信号の所定のタイムスロット位置から伝送信号を抽出して多重分離を行う多重化／多重分離部と、共通の信号路で構成され、多重化／多重分離部と前記端末装置との間の信号の受け渡しをする多重／分離バスと、端末装置と多重／分離バスの間のインタフェースをとる回線インタフェース部と、ノード管理バスを経てノード内各装置の動作状態の管理を行うノード管理プロセッサ部とを備え、多重化／多重分離部は、多重化／多重分離部の各回路に初期化を指示するとともに、初期化完了状態を保持する記憶回路を有し、多重メモリに記憶された信号の多重／中継ビットと初期化完了を示す記憶回路の出力とによって、多重メモリのデータを選択し出力するようにしたものである。
【００２１】
【発明の実施の形態】
実施の形態１．
図１は、本発明に係るループ式データ伝送装置の構成図である。図において、２はノード装置（Ｎ１〜Ｎ６）、３は各々これらノード装置２に接続された端末装置、１は反時計方向の光伝送路を構成する０系伝送路１０と、時計方向の光伝送路を構成する１系伝送路１１とからなる伝送路である。また、伝送路１では、先に説明したＳＤＨ方式にかかるフレーム構造を有するＳＴＭ−１相当の広帯域デジタル信号の伝送が行われている。
【００２２】
図２は、上記ループ式データ伝送装置のノード装置２の構成図である。ここで、各ノード装置２はともに同じ構成になっている。２０ａはＡ系ＳＴＭ−１終端部、２０ｂはＢ系ＳＴＭ−１終端部で、それぞれ光伝送路１０、１１からの光信号を電気信号に変換する光／電気変換部２１１、電気信号を光信号に変換して光伝送路へ送り出す電気／光変換部２１２、ＳＴＭ−１終端部２２から構成される。
【００２３】
このループ式データ伝送装置では、０系伝送路１０からの光信号はＡ系ＳＴＭ−１終端部２０ａに入力され、Ａ系ＳＴＭ−１終端部２０ａから出力された光信号は、１系伝送路１１に送り出される。また、１系伝送路１１からの光信号は、Ｂ系ＳＴＭ−１終端部２０ｂへ入力され、Ｂ系ＳＴＭ−１終端部２０ｂから出力した光信号は０系伝送路１０へ送り出される。
【００２４】
０系伝送路１０から入力された光信号はＡ系ＳＴＭ−１終端部２０ａにおいて、また１系伝送路１１から入力された光信号はＢ系ＳＴＭ−１終端部２０ｂにおいて、それぞれの光／電気変換部２１１でシリアルな電気信号に変換された後、それぞれのＳＴＭ−１終端部２２でＳＯＨ部分（セクションオーバヘッド部分）が取り除かれ、系選択回路部２３へ出力される。
【００２５】
２３は上記Ａ系とＢ系の選択を行う系選択回路部、２４は多重化フレーム上の所定のタイムスロットへデータ信号を多重化し、あるいは多重化フレーム上の所定のタイムスロットからデータ信号を抽出して多重分離を行う多重分離化を行う多重化／多重分離部、２６は多重化／多重分離部と回線インタフェース部との間の信号のやり取りを行う多重／分離バスである。２５はノード装置２と端末装置３との間のインタフェースをとる回線インタフェース部、３は端末装置である。２７はノード管理バス２８を介してノード内の各回路と接続し各回路が所望の動作を行うようデータを設定したり監視を行うノード管理プロセッサー部である。
【００２６】
通常は系選択回路部２３は０系伝送路１０側から信号を選択して、多重化／多重分離部２４へ出力する。また多重化／多重分離部２４から出力された信号は系選択回路部２３へ出力される。通常は系選択回路部２３では多重化／多重分離部２４からの信号をＢ系ＳＴＭ−１終端部２０ｂへ出力し、Ｂ系ＳＴＭ−１終端部２０ｂでＳＯＨを付加した後、電気／光変換部２１２に出力し光信号に変換後、０系伝送路１０へ送出される。また、多重化／多重分離部２４は多重／分離バス２６を制御して、複数の回線インタフェース部２５を介してそれぞれの端末装置３との間の接続を行っている。具体的には、各回線インタフェース部２５に付された固有のポート番号と、多重／分離バス２６の入出力信号に付された固有のポート番号とにより、多重分離バス２６上の信号と回線インタフェース部２５との対応関係を特定し信号の受け渡しを制御するようにしている。
【００２７】
また、このループ式伝送装置で扱われる光信号の多重化フレーム構造は、ＳＤＨの基本構造であるＳＴＭ−１に相当する構造となっている。
ＳＴＭ−１の多重化フレーム構造は、１フレーム１２５μｓ（音声情報の符号化の基本周期）に９列２７０行のタイムスロットを持つ構造になっている。ここで、１タイムスロットは６４Ｋｂ／ｓ相当の伝送容量を有する。このフレーム構造において、９列目以降の２６１列は各種情報を収容するタイムスロットであり、ペイロードと呼ばれる。また最初の９行×９列は各種情報を伝達する際のネットワーク管理情報を収容するセクションオーバヘッド（Ｓ．Ｏ．Ｈ）と、ペイロードに収容される多重化情報の先頭位置を指定するポインターに割り当てられている。このようなフレーム構造において、低速信号を含めた効率よく多重化フレームのタイムスロット上に割り付けるため、本発明では上記ビット配列を９ビット（＝９タイムスロット）を１単位としてブロック化する。図３は、このようにブロック化したペイロード部分を示している。このブロック化によってペイロード部分のブロック化数（パスペイロード）は０から２５９迄の２６０ブロックとなる。
【００２８】
図４は、このブロック化した１ブロックに含まれるタイムスロットの構成内容を説明する図である。１つのブロックはデータスロット８個と信号スロット１個の計９個のタイムスロットから構成されている。そして、データスロットと信号スロットの各１スロットは８ビットで構成されていて、データスロット１個で６４Ｋｂ／ｓの伝送速度を有するデータの伝送を行うことができる。また、信号スロットは、収容する端末回線に応じてデータ以外のダイヤリング情報等の付加情報を伝送するためのエリアである。また、信号スロットは８ビット構成であり、最下位ビットがこの信号スロットの８個分前のデータスロットの信号ビットに割り当てられており、以下順番にデータスロット１スロット毎、信号１ビットを対応ずけて割り当てている。
【００２９】
ＳＤＨの基本構造であるＳＴＭ−１に相当するフレーム構造（以下ＳＴＭー１フレームと呼ぶ）では、１．５４４Ｍｂ／ｓを最小のハンドリング単位としているため、伝送情報を一旦１．５４４Ｍｂ／ｓに対応するフレーム信号に変換した上で、ＳＴＭ−１フレームにマッピングする（多重化する）必要があったが、上記のように９タイムスロット毎のグループ化を行うことによって、この１グループの中の所定のデータスロット１個または複数個を利用する形を取ることができるので、６４Ｋｂ／ｓの伝送速度の信号を前記ＳＴＭ−１フレームに直接マッピングすることができる。
【００３０】
図５は、各種伝送速度の信号をＳＴＭ−１フレームのペイロードへ割付（マッピング）した例を示す。ここには、９タイムスロットを１単位としたブロック毎の桝目で区切った上に、１．５Ｍｂ／ｓ（以下１．５４４Ｍｂ／ｓ信号を１．５Ｍｂ／ｓと簡略して書く）の伝送速度の信号３回線分（１．５Ｍ−＃１、−＃２、−＃３）と６Ｍｂ／ｓの伝送速度の信号３回線分（６Ｍ−＃１、−＃２、−＃３）および６４Ｋｂ／ｓの伝送速度の信号８回線分（６４Ｋ×８）のマッピング状態を示している。
【００３１】
なお、図５の中の空欄部分は、ペイロード上のタイムスロット中、割り当てがされていない状態を示しているが、先に述べたように本発明に係るループ式データ伝送では６４Ｋｂ／ｓの伝送速度に相当するタイムスロットを１ビットとして表した９ビットを１単位としてグループ化し、処理するようにしたので、端末側からは、この６４Ｋｂ／ｓ×８ＣＨの中で、１ＣＨまたは複数ＣＨにインタフェースすることによって、直接ＳＴＭ−１フレームへの多重化が可能となる。なお、図５では１行目から詰めた割り当て例を示しているが、ＳＴＭ−１フレームの任意のスロットを使った結果途中に空きスロットが生じることがあっても問題は起きない。
【００３２】
次に具体的な割り当てと信号処理の例を説明する。例えばノード装置（Ｎ１）２の端末装置３とノード装置（Ｎ２）２の端末装置３の間で伝送速度１．５Ｍｂ／ｓの端末間通信が行われる場合では、この端末間通信用として、ＳＴＭ−１フレームのペイロードの１行目の最初の２７列のタイムスロット（図５の１．５Ｍ−＃１で示す領域、ブロック数では、３ブロック、タイムスロット数では２７）を割り当てる。ノード装置（Ｎ１）に接続された端末装置３からの１．５Ｍｂ／ｓの信号は、ノード装置２内の回線インタフェース部２５でパラレル信号に変換され、多重化／多重分離部２４の制御するタイミングで多重／分離バス２６へ出力される。多重化／多重分離部２４は、多重／分離バス２６へ出力されたデータを所定の時間保持したのち、図５の１．５Ｍ−＃１で示すペイロード上のタイムスロットにデータと付加情報を配置する。他に、ノード装置（Ｎ１）２から他のノード装置２へ伝送するデータが無ければ、ノード装置（Ｎ１）２の多重化／多重分離部２４では、１．５Ｍ−＃１以外のスロットへは、受信信号のＳＴＭ−１フレーム上の同じ位置にあるデータおよび信号（前記：多重化／多重分離部２４に一時保持）を乗せかえる。多重化された信号は、ＳＴＭ−１終端部２２でＳＯＨが付加され、光信号に変換されて、下流ノード装置２へ送信される。０系伝送路１０を使用して運用している場合は、ノード装置（Ｎ１）２からの信号はノード装置（Ｎ２）２へ送信される。
【００３３】
ノード装置（Ｎ２）２では、０系伝送路１０から受信した信号は、ＳＴＭ−１終端部２２でＳＯＨが取り除かれて、系選択回路部２３を経由して、多重化／多重分離部２４へ出力される。多重化／多重分離部２４では、予め割り当てられているＳＴＭ−１フレームのペイロードの割り当てられたスロット（図５−１．５Ｍ−♯１）のデータおよび信号を多重分離して抽出し、多重／分離バス２６を介して回線インタフェース部２５へ出力する。回線インタフェース部２５ではこの信号をシリアル信号に変換し、付加信号の状態にもとづいて端末へ出力する信号を生成して端末３へ出力する。このようにしてノード装置（Ｎ１）２に接続された端末装置３のデータがノード装置（Ｎ２）２に接続された端末装置３へ伝送される。逆に、ノード装置（Ｎ２）２に接続された端末装置３からの送信も上記と同じスロット（図５の１．５Ｍ−＃１）を使用して同様の手順を経て伝送される。
【００３４】
以上のように、ノード装置に、伝送路に伝送されるＳＤＨ方式の多重化フレーム信号にアクセスし、所定の信号が割り当てられているタイムスロットから信号を選択的に抽出して多重分離し前記端末装置に向けて送り出し、または前記端末装置からの信号を取り込んで前記多重化フレーム信号の割り当てられた所定タイムスロットへ選択的に配置して多重化し前記伝送路へ送り出す多重化／多重分離手段とを備えたので、６４Ｋｂ／ｓのような低い伝送速度の信号でも、段階的な多重化処理を行うことなく直接、ＳＴＭー１フレームへ多重化を行うことができる。
【００３５】
実施の形態２．
つぎに、この発明に係るループ式データ伝送装置の実施の形態２に係る多重化／多重分離部の詳細について説明する。実施の形態２は、実施の形態１における多重化／多重分離部２４を具体化したものの一つである。したがって、以下では多重化／多重分離部２４の構成とその関連事項に主眼を置いて説明する。
図６は多重化／多重分離部２４の構成図である。図において、２４０１は系選択回路部２３から入力したデータを中継して再度系選択回路部２３へ出力する迄の間一時的に保持する受信中継メモリ、２４０２は系選択回路２３から入力したデータを多重／分離バス２６へ出力するまでの間一時的に保持する分離メモリで、２４０３は受信中継メモリ２４０１および分離メモリ２４０２へのデータ書き込み制御を行うライト制御部、２４０４ａは多重／分離バス２６から入力したデータを系選択回路部２３へ出力するまでの間一時的に保持する多重メモリ、２４０５は多重／分離バス２６から入力したデータを再度多重／分離バス２６へ出力するまでの間一時的に保持する局内交換メモリ、２４０６は多重メモリ２４０４Ａおよび局内交換メモリ２４０５へのデータ書き込みを制御するライト制御部、２４０７は受信中継メモリ２４０１または多重メモリ２４０４Ａからデータを読み出すときのアドレス信号を生成するリード゛制御部、２４０８はリード制御部２４０７から出力される信号を予め設定されたアドレスに変換する多重メモリアドレス変換部、２４０９は受信中継メモリ２４０１のリードデータと多重メモリ２４０４Ａのリードデータを選択するセレクタ部、２４１０Ａは分離メモリ２４０２または局内交換メモリ２４０５からデータを読み出すときの基準信号等を生成するリード制御部、２４１１Ａはリード制御部２４１０Ａから出力される信号を予め設定されたアドレスに変換するための分離メモリアドレス変換部、２４１２は分離メモリ２４０２のリードデータと局内交換メモリ２４０５のリードデータを選択するセレクタ部、２４１３は多重／分離バス２６の基準信号および制御信号の生成を行う多重分離バス制御部である。
【００３６】
また、多重メモリアドレス変換部２４０８の構造を図７に示す。図７において、アドレスと記載されたもの（０００〜２０７９）は、多重アドレス変換部２４０８のアドレスを示し、ＳＴＭ−１フレームのペイロードのタイムスロット番号に対応する。ビットＤ１２は多重／中継ビットである。このＤ１２のビットが、“１”か“０”かにより、図６のセレクタ部２４０９に於いて選択する信号が決定され、“１”の場合には多重メモリ２４０４Ａからのリードデータを選択し、“０”の場合は受信中継メモリ２４０１からのリードデータを選択するようになっている。Ｄ１〜Ｄ１１には多重メモリ２４０４Ａのリードアドレス（Ａ１〜Ａ１１）が設定される。
【００３７】
分離メモリアドレス変換部２４１１Ａは、リード制御部２４１０Ａから出力される基準信号をもとに、分離メモリ２４０２および局内交換メモリ２４０５のリードアドレスを作成する機能を有しており、ＲＯＭや２ポートメモリで構成される。本例では２ポートメモリを用いており、ノード管理バス２８を介して内部データを設定変更することが可能になっている。
【００３８】
分離メモリアドレス変換部２４１１Ａの構造を図８に示す。図８において、アドレスと記載されたもの（０００〜２０７９）は分離メモリアドレス変換部２４１１Ａのアドレスを示し、多重／分離バス２６のアドレスに対応する。ビットＤ１６は局内／分離ビットであり、このＤ１６のビットが“１”か“０”かにより、図６のセレクタ部２４１２によって選択される信号が決定され、“１”の場合には局内交換メモリ２４０５からのリードデータを選択し、“０”の場合は分離メモリ２４０２のリードデータを選択するする。Ｄ１１〜Ｄ０には分離メモリ２４０２または局内交換メモリ２４０５からのリードアドレス（Ａ１１〜Ａ０）が設定される。また、Ｄ１７〜Ｄ２３はポートＩＤであり、多重分離バス２６を介して入出力するデータに対応する回線インタフェース部のポート番号が設定される。
【００３９】
次に図６、図７、図８に基ずき動作について説明する。系選択回路部２３から入力される信号は連続する複数のタイムスロットからなり、ブロック０のデータスロットＤ０に始まりブロック２５０の信号スロットを最後とする２３４０個のタイムスロットが順番に入力され、ライト制御部２４０３によって制御されて受信中継メモリ２４０１および分離メモリ２４０２へ順番に書き込まれる。
【００４０】
多重分離バス制御部２４１３は、多重／分離バス２６を介して、回線インタフェース部２５と入出力をするために必要な基準信号を生成しており、多重分離バス２６から入力される信号も、複数の連続するタイムスロットデータの構造を有する。そしてライト制御部２４０６によって制御されて多重メモリ２４０４Ａおよび局内交換メモリ２４０５へ順番に書き込まれる。
【００４１】
リード制御部２４０７はライト制御部２４０３の書き込み動作から少し遅れた位相でリードアドレスを生成する。このリードアドレスにもとづいて、受信中継メモリ２４０１にすでに書き込まれているデータが順番に読み出される。多重メモリアドレス変換部２４０８ではリード制御部２４０７からのリードアドレスにもとづいて多重メモリ２４０４のリードアドレスを生成し、このリードアドレスによって多重メモリ２４０４Ａにすでに書き込まれているデータを読み出す。受信中継メモリ２４０１および多重メモリ２４０４Ａから読み出されたデータはセレクタ２４０９で選択された後、系選択回路部２３へ出力される。この時、セレクタ部２４０９における選択は多重メモリアドレス変換部２４０８からの多重／中継ビットにもとづいて行われる。セレクタ部２４０９から系選択回路部２３へ出力されるデータは、ブロック０のデータスロットＤ０に始まり、ブロック２５０の信号スロットを最後とする２３４０個のタイムスロットが順番に出力される。以上のように動作しているので、系選択回路部２３へ出力するタイムスロットデータは、系選択回路部２３から入力したタイムスロットデータと多重／分離バス２６から入力したデータとの間で１タイムスロットの単位で入替えが可能である。
【００４２】
また、リード制御部２４１０Ａはライト制御部２４０６の書き込み動作から少し遅れた位相で基準信号を生成する。分離メモリアドレス変換部２４１１Ａでは、リード制御部２４１０Ａからの基準信号にもとづいて分離メモリ２４０２および局内交換メモリ２４０５のリードアドレスを生成する。このリードアドレスにもとづいて、分離メモリ２４０２および局内交換メモリ２４０５にすでに書き込まれているデータが読み出される。分離メモリ２４０２および局内交換メモリ２４０５から読み出されたデータはセレクタ部２４１２で選択され、多重／分離バス２６へ出力される。この時セレクタ部２４１２では分離メモリアドレス変換部２４１１Ａからの局内／分離ビット（図８参照）にもとづいて分離メモリ２４０２からのデータと局内交換メモリ２４０５からのデータの選択が行われる。セレクタ部２４１２から出力するデータは複数の連続するタイムスロットデータの構造を有している。以上のようにして、多重／分離バス２６へ出力するデータは系選択回路部２３から入力したタイムスロットのデータと多重／分離バス２６から入力したデータとの間で１タイムスロット単位での入替えが可能である。
【００４３】
また分離メモリアドレス変換部２４１１からは、多重分離バス２６を介して入出力するデータに対応する回線インタフェース部２５のポート番号が出力される。回線インタフェース部２５では多重分離バス２６上で固有のポート番号が予め設定されており、このポート番号が一致した回線のデータが多重分離バス２６を介して入出力される。
【００４４】
なお、ここでは、局内交換メモリを設けたものを示したが、局内交換が必要ない場合は設けなくてもよい。また信号スロットとデータスロットの取り扱いの詳細について説明を省略したが、受信中継メモリ、多重メモリ、分離メモリ、局内交換メモリは、データスロットと信号スロットとに対応する構成である事は言うまでもない。
【００４５】
さらに、多重分離バス２６を介してデータ他が入出力される様子を図９のタイミングチャートに示す。タイムスロット番号は、図６に示したリード制御部２４１０Ａから出力されるリードアドレスに相当する信号であり、多重分離バス２６に直接出力されていないが、このタイムスロット番号を基準として各信号の入出力が行われる。多重分離バス２６に出力される分離データ、分離信号およびポートＩＤはタイムスロット番号に対応して出力される。一方多重データと多重信号については、回線インタフェース部２５の側において、ポートＩＤの一致等の処理時間を必要とするため、バイトクロックで４．５クロックの時間差を設けている。
【００４６】
以上説明したように実施の形態２に係るループ式データ伝送装置では、伝送路からの受信信号と回線インタフェース部を経て端末装置からの信号とを保持する各メモリと、これらタイムスロット毎のデータを相互に入れ替えるための多重メモリアドレス変換部、分離メモリアドレス変換部およびセレクタを設けた構成としたので、１タイムスロット毎のデータの入替えが可能である。つまり、６４Ｋｂ／ｓを最小単位とするデータの入替えが可能である。また局内交換メモリを設けた構成としたので、ノード装置内で、局内交換可能である。また、多重メモリアドレス変換部および分離メモリアドレス変換部を２ポートメモリで構成し、ノード管理バスからの設定を可能にしたので、端末装置の増設や変更が必要な場合でも、ノード装置を稼動させたままオンライン変更が可能である。さらに分離アドレス変換部から回線インタフェース部のポート番号を出力する構成としたので、回線インタフェース部に特殊な設定機構を設けなくても複数のタイムスロットが使用出来る等、回線インタフェース部の回路構成を簡略化する事が可能である。
【００４７】
なお、上記実施の形態では局内交換メモリを設けたものを示したが局内交換が必要ない場合は設けなくてもよい、また、信号スロットとデータスロットの取り扱いの詳細につては説明を省略したが受信中継メモリ、多重メモリ、分離メモリ、局内交換メモリは、データスロットと信号スロットに対応する構成である事は言うまでもない。
【００４８】
実施の形態３．
つぎに、この発明に係るループ式データ伝送装置の実施の形態３に係る多重化／多重分離部の詳細について説明する。実施の形態３は、多重化／多重分離部２４を除き実施の形態１と同じ構成になっている。また、実施の形態２との関係では、多重化／多重分離部２４の一部の構成を変更している。
以上の関係を考慮して、以下では実施の形態３の多重化／多重分離部２４の構成について、実施の態様２からの変更部分を中心に説明する。
図１０は、実施の形態３に係る多重化／多重分離部２４の構成図である。図において、２４１０Ｂは分離メモリ２４０２または局内交換メモリ２４０５からのデータを読み出す時の基準信号と、多重分離バス２６を介して回線インタフェース部２５に多重分離バスアドレス信号を生成するリード制御部、１１１２はリード制御部１１０２から出力される信号を予め設定されたアドレスに変換する分離メモリアドレス変換部、である。なお、図６に付した符号と同じ符号のものまたは部分は、実施の形態２におけるものと基本的に同じ機能のものである。
【００４９】
また、図１１は実施の形態３に係る分離メモリアドレス変換部２４１１Ｂの構造である。なお、実施の形態３における多重メモリアドレス変換部２４０８の構造は図７と同様である。
【００５０】
次に動作を説明する。なお、系選択回路部２３から入力される信号を受信中継メモリ２４０１および分離メモリ２４０２へ書き込む動作、多重／分離バス２６から入力される信号を多重メモリ２４０４Ａおよび局内交換メモリ２４０５へ書き込む動作、受信中継メモリ２４０１からの読み出し動作とこれら読み出されたデータを選択して系選択回路部２３へ出力する動作については実施の形態２の場合と同じなので説明を省略する。
【００５１】
リード制御部２４１０Ｂはライト制御部２４０６の書き込み動作から少し遅れた位相で基準信号を生成する。分離メモリアドレス変換部２４１１Ｂではリード制御部２４１０Ｂからの基準信号から分離メモリ２４０２および局内交換メモリ２４０５のリードアドレスを出力し、このリードアドレスに基ずいて、すでに書き込まれたデータが読み出される。分離メモリ２４０２および局内交換メモリ２４０５から読み出されたデータはセレクタ部２４１２で選択され、多重／分離バス２６に出力される。この時セレクタ部２４１２では分離メモリアドレス変換部２４１１Ｂからの局内／分離ビットにもとづいて選択する。セレクタ部２４１２から出力するデータは複数の連続するタイムスロットデータの構造を有している。以上のようにして、系選択回路部２３から入力したタイムスロトデータと多重／分離バス２６から入力したデータとを入替えて、多重／分離バス２６へ出力することが可能となる。
【００５２】
また、リード制御部２４１０Ｂからは、多重／分離バス２６を介して入出力するデータに対応する多重分離アドレス信号が出力される。回線インタフェース部２５には使用するタイムスロット番号およびタイムスロット数に応じて対応する多重分離アドレスが予め設定されており、多重／分離バス２６上の多重分離バスアドレスが一致した回線のデータを多重／分離バス２６を介して入出力される。なお、ここでは、局内交換メモリを設けたものを示したが、局内交換が必要ない場合は設けなくてもよい。また信号スロットとデータスロットの取り扱いの詳細について説明を省略したが、受信中継メモリ、多重メモリ、分離メモリ局内交換メモリは、データスロットと信号スロットと対応する構成である事は言うまでもない。
【００５３】
以上説明したように、本実施の形態によるループ式データ伝送装置では、リード制御部から多重分離バスアドレス信号を出力し、予め回線インタフェース部に設定された多重分離バスアドレスと一致した回線のデータを多重分離バスを介して入出力する構成としたので、多重化／多重分離部の分離メモリアドレス変換部のメモリ容量の削減および分離メモリアドレス変換部への設定回数の削減が可能であるという効果が得られる。
【００５４】
実施の形態４．
つぎに、この発明に係るループ式データ伝送装置の実施の形態４に係る多重化／多重分離部の詳細について説明する。実施の形態４は、多重化／多重分離部２４を除き実施の形態２または実施の形態３と同じ構成になっている。また、実施の形態２または実施の形態３との関係では、多重化／多重分離部２４の一部の構成を変更している。
以上の関係を考慮して、以下では実施の態様４の多重化／多重分離部２４の構成について、実施の態様２または実施の形態３からの変更部分を中心に説明する。図１２は、実施の形態４に係る多重化／多重分離部２４の構成図である。図において２４０４Ｂは多重／分離バス２６から入力したデータを系選択回路部２３へ出力する迄の期間一時的に保持するとともに多重／分離バス２６からのデータ多重要求信号を前記データと同様保持する多重メモリ、２４１４は多重メモリアドレス変換部２４０８から出力される多重／中継ビットと多重メモリ２４０４Ｂから出力されるデータ多重要求信号の論理積をとるＡＮＤゲートである。なお、他の部分の構成は実施の形態２または、実施の形態３と基本的に同じであるので説明は省略する。
【００５５】
次に動作について説明する。なお、系選択回路部２３から入力される信号を受信中継メモり２４０１および分離メモリ２４０２へ書き込む動作、分離メモリ２４０３からの読み出し動作、局内交換メモリ２４０５からの読み出し動作とこれら読み出されたデータを選択して多重分離バス２６へ出力する動作については、実施の形態１と基本的に同じである。
【００５６】
多重分離バス制御部２４１３は多重／分離バス２６を介して回路インタフェース部２５と入出力するために必要な基準信号を生成しており、多重／分離バス２６から入力される信号も複数の連続するタイムスロットデータの構造を有する。そしてライト制御部２４０６によって制御されて多重メモリ２４０４Ｂおよび局内交換メモリ２４０５へ順番に書き込まれる。このとき、多重メモリ２４０４Ｂへは多重データ／多重信号およびデータ多重要求信号が書き込まれ、局内交換メモリ２４０５へは多重データ／多重信号が書き込まれる。
【００５７】
リード制御部２４０７はライト制御部２４０３の書き込み動作から少し遅れた位相でリードアドレスを作成する。このリードアドレスに基ずいて受信中継メモリ２４０１からはすでに書き込まれたタイムスロットデータが順番に読み出される。多重メモリアドレス変換部２４０８では、リード制御部２４０７からのリードアドレス多重メモリ２４０４Ｂのリードアドレスを出力し、このリードアドレスにもとづいて書き込まれたデータが読み出される。受信中継メモリ２４０１および多重メモリ２４０４Ｂから読み出されたデータはセレクタ部２４０９で選択され、系選択回路部２３へ出力される。また多重メモリ２４０４Ｂからデータが読み出されると同時にデータ多重要求信号が読み出される。このデータ多重要求信号は多重メモリアドレス変換部２４０８からの多重／中継ビットとＡＮＤゲート２４１４にて論理積がとられる。そして、ＡＮＤゲート２４１４の出力はセレクタ２４０９へ接続されており、セレクタ部２４０９ではＡＮＤ条件成立時すなわち、データ多重要求信号が論理“１“でかつ多重／中継ビットが論理”１“の時のみ多重メモリ２４０４Ｂからのデータを選択する。セレクタ部２４０９はＡＮＤ条件が成立しない場合は、受信中継メモリ２４０１のデータを選択する。そして、セレクタ部２４０９から系選択回路２３へ出力される。なお、上記実施の形態では局内交換メモリを設けたものを示したが、局内交換が必要でない場合は設けなくてもよい。また、信号スロットとデータスロットの取り扱いの詳細につては説明を省略したが受信中継メモリ、多重メモリ、分離メモリ、局内交換メモリは、データスロットと信号スロットに対応する構成であることは言うまでもない。
【００５８】
以上説明したように、本実施の形態によるループ式データ伝送装置はデータ多重要求信号を設け、多重メモリへデータとともにデータ多重要求信号を書き込むように構成し、さらに多重メモリ及び受信中継メモリから読み出したデータを選択するとき、多重中継ビットとデータ多重要求信号のＡＮＤ条件で多重メモリのデータを選択するようにしたので、ノード装置の初期化が完了していない場合でも不正データを多重する事を防止できる。その結果、ノード装置に接続された端末へ不正なデータを送信する事が防止できる効果がある。
【００５９】
実施の形態５．
つぎに、この発明に係るループ式データ伝送装置の実施の形態５に係る多重化／多重分離部の詳細について説明する。実施の形態５は、多重化／多重分離部２４を除き実施の形態２と同じ構成になっている。また、実施の形態２との関係では、多重化／多重分離部２４の一部の構成を変更している。
以上の関係を考慮して、以下では実施の形態３の多重化／多重分離部２４の構成について、実施の形態２からの変更部分を中心に説明する。
図１３において、２４１６はノード管理プロセッサ部２７がノード管理バス２８を介して多重化／多重分離部２４へ初期化が完了したことを指示し保持しておくための初期化完了フリップフロップ回路、２４１５は多重メモリアドレス変換部２４０８から出力される多重／中継ビットと初期化完了フリップフロップ回路２４１６の出力の論理積をとるＡＮＤゲート、である。また、多重メモリアドレス変換部２４０８の構造は図７と同様であり、分離メモリアドレス変換部２４１１Ａの構造は図９と同様である。
【００６０】
次に動作について説明する。なお、系選択回路部２３から入力される信号を受信中継メモリ２４０１および分離メモリ２４０２へ書き込む動作、多重分離バスから入力される信号を多重メモリ２４０４および局内交換メモリ２４０５へ書き込む動作、さらに分離メモリ２４０２からの読み出し動作、局内交換メモリ２４０５からの読み出し動作とこれから読み出されたデータを選択して多重分離バス２６へ出力する動作については実施の形態１と同じである。
【００６１】
ノード管理プロセッサ部２７は、ノード装置を立ちあげる際にはノード装置２の各部を初期化する。その一連の処理の一つとして、多重化／多重分離部２４の多重メモリアドレス変換部２４０８、分離メモリアドレス変換部２４１１ａの初期設定を行う。初期化完了フリップフロップ回路２４１６はノード装置２へ電源を投入した直後など初期化完了以前はリセットされた状態でであり、その出力は論理“１”である。そしてノード管理プロセッサ部２７は前記初期化設定が完了した時点で、初期化完了フリップフロップ回路２４１６をセットする。そしてその出力は論理“１”となる。
【００６２】
受信中継メモリ２４０１および多重メモリ２４０４から読み出されたデータはセレクタ部２４０９で選択された後系選択回路部２３へ出力されるが、この選択条件として、前記初期化完了フリップフロップ回路２４１６の出力と多重メモリアドレス変換部２４０８からの多重／中継ビットとがＡＮＤゲート２４１５にて論理積がとられる。そして、ＡＮＤゲート２４１５の出力はセレクタ部２４０９へ接続されており、セレクタ部２４０９ではＡＮＤ条件成立時、すなわち初期化完了フリップフロップ回路２４１６の出力が論理“１”で、かつ多重／中継ビットが論理“１”のときのみ、多重メモリ２４０４からのデータを選択する。セレクタ部２４０９はＡＮＤ条件が成立しない場合は受信中継メモリ２４０１のデータを選択する。そしてセレクタ部２４０９から系選択回路部２３へ出力される。なお、上記実施例では局内交換メモリを設けたものを示しているが、局内交換が必要でない場合は設けなくてもよい。また、信号スロットとデータスロットの取り扱いの詳細につては説明を省略したが受信中継メモリ、多重メモリ、分離メモリ、局内交換メモリは、データスロットと信号スロットに対応する構成である事は言うまでもない。
【００６３】
以上説明したように、本実施の形態５によるループ式データ伝送装置は初期化完了フリップフロップを設け多重メモリ及び受信中継メモリから読み出したでデータを選択するとき、多重／中継ビットと初期化完了フリップフロップの出力信号のＡＮＤ条件で多重メモリのデータを選択するようにしているので、例えばノード装置の初期化が完了していない場合でも不正データを多重する事を防止できる。その結果、ノード装置に接続された端末へ不正なデータを送信する事が防止できる効果がある。
【００６４】
【発明の効果】
この発明は、以上説明したように構成されているので、以下に示すような効果を奏する。
【００６５】
伝送路に伝送されるＳＤＨ方式の多重化フレーム信号にアクセスして多重化フレームの所定のタイムスロットから信号を選択的に抽出して多重分離し、または端末装置からの信号を取り込んで前記多重化フレーム信号の所定タイムスロットへ選択的に配置して多重化するように構成したので、伝送速度の低い信号でも段階的な多重化処理を行うことなく直接、ＳＴＭー１フレームへアクセスして多重化を行える効果がある。
【００６６】
また、伝送路からの受信データ信号と回線インタフェース部を経て端末装置から送り込まれる多重データを保持する各メモリと、これらの信号のタイムスロット毎のデータを相互に入れ替えるための多重メモリアドレス変換部、分離メモリアドレス変換部およびセレクタを設けた構成としたので、１タイムスロット毎のデータの入替えが可能となり、ノード装置で直接低速信号（６４Ｋｂ／ｓ）のデータの多重化／多重分離を行える効果がある。
また、端末装置からのデータのタイムスロットを別のタイムスロットへ入れ替える事が出来る構成としたので、ノード装置内で局内交換を行う事が出来る効果がある。
【００６７】
また、多重メモリアドレス変換部および分離メモリアドレス変換部を２ポートメモリで構成し、ノード管理バスからの設定を可能にしたので、端末装置の増設や変更が必要な場合でも、ノード装置を稼動させたままオンラインで増設や変更が可能である。
【００６８】
さらに、分離アドレス変換部から回線インタフェースのポート番号を出力する構成としたので、回線インタフェース部に特殊な設定機構を設けなくても複数のタイムスロットが使用出来、回線インタフェースの回路構成を簡略化する事が可能である。
【００６９】
また、リード制御部からの多重分離バスアドレス信号にもとづいて、多重／分離バスを介してデータを入出力する構成としたので、多重化／多重分離部の分離メモリアドレス変換部のメモリ容量の削減および分離メモリアドレス変換部への設定回数の削減が可能となる効果が得られる。
【００７０】
さらに、データ多重要求信号の存在する事を条件としてデータの送り出し制御をするように構成したので、回線インタフェース部にトラブルがあるときにノード装置に接続された端末へ不正なデータを送信する事が防止できる効果がある。
【００７１】
さらに、ノード装置の初期化完了情報にもとづいてデータの送り出しを制御するように構成したので、初期化完了前の不正データが送信されるのを防止できる効果がある。
【図面の簡単な説明】
【図１】この発明に係るループ式データ伝送装置の構成図である。
【図２】この発明の実施の形態１にかかるループ式データ伝送装置のノード装置の構成図である。
【図３】この発明のノード装置間で使用される（９つのタイムスロットを１ブロックとしてブロック化したブロック化構成の）ＳＴＭ−１フレームのペイロード部分の構成図である。
【図４】図３に示すブロック化信号の構成を示す図である。
【図５】ＳＴＭ−１フレーム信号のペイロード部分へのマッピングを説明する図である。
【図６】この発明の実施の形態２に係るループ式データ伝送装置のノード装置に使われる多重化／多重化分離部の構成図である。
【図７】この発明の実施の形態２の多重アドレス変換部の構造を示す図である。
【図８】この発明の実施の形態２の分離アドレスメモリの構造を示す図である。
【図９】この発明の実施の形態２の多重分離バスのタイミングチャートである。
【図１０】この発明の実施の形態３に係るループ式データ伝送装置のノード装置に使われる多重化／多重化分離部の構成図である。
【図１１】この発明の実施の形態３の多重アドレス変換部の構造を示す図である。
【図１２】この発明の実施の形態４に係るループ式データ伝送装置のノード装置に使われる多重化／多重化分離部の構成図である。
【図１３】この発明の実施の形態５に係るループ式データ伝送装置のノード装置に使われる多重化／多重化分離部の構成図である。
【図１４】従来のループ式伝送装置の構成図である。
【図１５】従来のループ式伝送装置のノード装置の構成図である。
【図１６】従来のループ式伝送装置のノード装置の多重化構造を説明する図である。
【図１７】ＳＤＨのＳＴＭ−１フレーム構成の説明図である。
【符号の説明】
１    伝送路、    １０    ０系伝送路、    １１    １系伝送路、
２    ノード装置、
２０ａ    Ａ系ＳＴＭ−１終端部、    ２０ｂ    Ｂ系ＳＴＭ−１終端部、
２１    信号変換部、
２１１    光／電気変換回路、    ２１２    電気／光変換回路、
２２    ＳＴＭ−１終端部、
２３    系選択回路部、    ２４    多重化／多重分離部、
２５    回線インタフェース部、    ２６    多重分離バス、
２７    ノード管理プロセッサ部、    ２８    ノード管理バス
３    端末装置、
２４０１    受信中継メモリ部、    ２４０２    分離メモリ、
２４０３    ライト制御部、    ２４０４Ａ    多重メモリ、
２４０４ｂ    多重メモリＢ、    ２４０５    局内交換メモリ、
２４０６    ライト制御部、    ２４０７    リード制御部、
２４０８    多重メモリアドレス変換部、    ２４０９    セレクタ部、
２４１０    リード制御部、    ２４１１Ａ    分離アドレス変換部、
２４１１Ｂ    分離アドレス変換部、    ２４１２Ａ    セレクタ部、
２４１２Ｂ    セレクタ部、    ２４１３    多重分離バス制御部、
２４１４    ＡＮＤ回路、    ２４１５    ＡＮＤ回路、
２４１６    初期化完了ＦＦ回路。
【図１】
0003569613.tif 000002
【図２】
0003569613.tif 000003
【図３】
0003569613.tif 000004
【図４】
0003569613.tif 000005
【図５】
0003569613.tif 000006
【図６】
0003569613.tif 000007
【図７】
0003569613.tif 000008
【図８】
0003569613.tif 000009
【図９】
0003569613.tif 000010
【図１０】
0003569613.tif 000011
【図１１】
0003569613.tif 000012
【図１２】
0003569613.tif 000013
【図１３】
0003569613.tif 000014
【図１４】
0003569613.tif 000015
【図１５】
0003569613.tif 000016
【図１６】
0003569613.tif 000017
【図１７】
0003569613.tif 000018